(57)【要約】【課題】容量不足による特殊機能の実行不能状態を回避することが可能な記録制御装置を提供すること。【解決手段】記録制御装置は、情報の記録先を第１の領域と第２の領域に分けて管理する管理手段と、前記第１の領域を利用した特殊機能を制御する特殊機能制御手段と、前記第２の領域を利用した記録情報の記録を制御する記録制御手段とを備えている。【選択図】図３
2006294100.tif 000002
【特許請求の範囲】
【請求項１】
情報の記録先を第１の領域と第２の領域に分けて管理する管理手段と、
前記第１の領域を利用した特殊機能を制御する特殊機能制御手段と、
前記第２の領域を利用した記録情報の記録を制御する記録制御手段と、
を備えたことを特徴とする記録制御装置。
【請求項２】
前記特殊機能制御手段は、タイムシフトの指示に基づき前記第１の領域に対する記録情報の記録を制御しつつ、タイムシフト再生の指示に基づき前記第１の領域に記録されている記録情報を再生するタイムシフト再生機能を制御することを特徴とする請求項１に記載の記録制御装置。
【請求項３】
前記特殊機能制御手段は、毎週又は毎日の指定された時間帯に指定されたチャンネルから得られる記録情報を記録する定刻記録機能を制御することを特徴とする請求項１に記載の記録制御装置。
【請求項４】
前記特殊機能制御手段は、毎週又は毎日の指定された時間帯に指定されたチャンネルから得られる記録情報を、前回又は前々回の記録情報に対して上書き記録する定刻記録機能を制御することを特徴とする請求項１に記載の記録制御装置。
【請求項５】
前記記録制御手段は、記録開始指示及び記録終了指示に基づき選択中のチャンネルから得られる記録情報の記録を制御し、記録開始日時、記録終了日時、及び記録対象のチャンネルを示す情報を含む予約情報に基づき記録情報の記録を制御することを特徴とする請求項１に記載の記録制御装置。
【請求項６】
前記特殊機能制御手段は、設定されたタイムシフト上限時間内で、タイムシフトの指示に基づき前記第１の領域に対する記録情報の記録を制御しつつ、タイムシフト再生の指示に基づき前記第１の領域に記録されている記録情報を再生するタイムシフト再生機能を制御し、
前記管理手段は、設定されたタイムシフト上限時間に基づきタイムシフト再生に必要な容量を予測し、予測された容量に基づき前記第１の領域の容量を決定することを特徴とする請求項１に記載の記録制御装置。
【請求項７】
前記特殊機能制御手段は、毎週又は毎日の指定された時間帯に指定されたチャンネルから得られる記録情報を記録する定刻記録機能を制御し、
前記管理手段は、指定された時間帯に基づき記録情報の容量を予測し、予測された容量に基づき前記第１の領域の容量を決定することを特徴とする請求項１に記載の記録制御装置。
【請求項８】
前記特殊機能制御手段は、設定されたタイムシフト上限時間内で且つ設定された圧縮率で、タイムシフトの指示に基づき前記第１の領域に対する記録情報の記録を制御しつつ、タイムシフト再生の指示に基づき前記第１の領域に記録されている記録情報を再生するタイムシフト再生機能を制御し、
前記管理手段は、設定されたタイムシフト上限時間及び設定された圧縮率に基づきタイムシフト再生に必要な容量を予測し、予測された容量に基づき前記第１の領域の容量を決定することを特徴とする請求項１に記載の記録制御装置。
【請求項９】
前記特殊機能制御手段は、設定された圧縮率で、毎週又は毎日の指定された時間帯に指定されたチャンネルから得られる記録情報を記録する定刻記録機能を制御し、
前記管理手段は、設定された圧縮率及び指定された時間帯に基づき記録情報の容量を予測し、予測された容量に基づき前記第１の領域の容量を決定することを特徴とする請求項１に記載の記録制御装置。
【請求項１０】
情報の記録先を第１の領域と第２の領域に分けて管理し、
前記第１の領域を利用した特殊機能、及び前記第２の領域を利用した記録情報の記録を制御する、
ことを特徴とする記録制御方法。
【発明の詳細な説明】
【技術分野】
【０００１】
本発明は、受信した番組等の情報を録画する録画機器に適用可能な記録制御装置及び記録制御方法に関する。
【背景技術】
【０００２】
近年、ＨＤＤ（ハードディスクドライブ）を利用して映像を録画する映像録画機器の普及が目覚しい。ＨＤＤは大容量という点で魅力である。例えば、嗜好情報を利用して所望の放送番組を自動取得し所定の記録エリアへ自動録画する技術が提案されている（特許文献１参照）。
【０００３】
また、ＨＤＤを使用したタイムシフト再生などの特殊機能についても提案されている。タイムシフト再生とは、例えば番組視聴中に席を外すような場合に視聴中の番組の録画を開始し、席に戻ってから録画中の番組の再生を開始することができる機能である。つまり、席を外している間は録画のみが実行され、席に戻ってからは再生と録画が並行して実行される。これにより、視聴中であった番組の録画が完了するのを待たずして、視聴中であった番組を続きから視聴することが可能となる。
【特許文献１】特開２００４−７２３９６
【発明の開示】
【発明が解決しようとする課題】
【０００４】
上記したタイムシフト再生等の特殊機能には所定の記憶容量が必要である。大容量ＨＤＤであっても有限の記録メディアである以上、ＨＤＤに対して次々にデータを記録すればＨＤＤの残容量は次第に小さくなる。ＨＤＤの残容量が特殊機能の必要容量に満たない場合には、特殊機能を実行できなくなってしまう。
【０００５】
例えば、容量不足により特殊機能が実行できない場合に、ユーザに対して警告したり、不要なデータの削除を要求したりすることが考えられる。しかし、これでは即座に特殊機能を実行することができない。また、ユーザ側で、ＨＤＤ内の膨大な録画データの中から不要なデータを探し出すのは面倒な作業である。
【０００６】
本発明の目的は、上記課題を解決するためになされたものであり、容量不足による特殊機能の実行不能状態を回避することが可能な記録制御装置及び記録制御方法を提供することにある。
【課題を解決するための手段】
【０００７】
上記の目的を達成するために、この発明においては、情報の記録先を第１の領域と第２の領域に分けて管理する管理手段と、前記第１の領域を利用した特殊機能を制御する特殊機能制御手段と、前記第２の領域を利用した記録情報の記録を制御する記録制御手段とを備えたことを特徴とする記録制御装置を提供する。
【０００８】
また、上記の目的を達成するために、この発明においては、情報の記録先を第１の領域と第２の領域に分けて管理し、前記第１の領域を利用した特殊機能、及び前記第２の領域を利用した記録情報の記録を制御することを特徴とする記録制御方法を提供する。
【発明の効果】
【０００９】
本発明によれば、容量不足による特殊機能の実行不能状態を回避することが可能な記録制御装置及び記録制御方法を提供できる。
【発明を実施するための最良の形態】
【００１０】
以下、図面を参照し、本発明の実施形態について説明する。
【００１１】
図１及び図２を参照して、この発明の一例に係るデジタルテレビジョン放送受信装置（記録制御装置）について説明する。図１は、この発明の一例に係るデジタルテレビジョン放送受信装置（記録制御装置）の外観を示す図である。図２は、デジタルテレビジョン放送受信装置（記録制御装置）の概略構成を示すブロック図である。
【００１２】
デジタルテレビジョン放送受信装置１１は、主として、薄型のキャビネット１２と、このキャビネット１２を起立させて支持する支持台１３とから構成されている。そして、キャビネット１２には、例えば液晶表示パネルにより構成される映像表示器１４、スピーカ１５、操作部１６、リモートコントローラ１７から送信される操作情報を受ける受光部１８等が設置されている。
【００１３】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１４】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１５】
また、このデジタルテレビジョン放送受信装置１１は、第１のＬＡＮ（Local Area Network）端子２１、第２のＬＡＮ端子２２、ＵＳＢ（Universal Serial Bus）端子２３、及びｉ．Link端子２４を備えている。
【００１６】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１８】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１９】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２０】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２２】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２４】
そして、このチューナ４５で選局された放送信号は、ＰＳＫ（Phase Shift Keying）復調器４６に供給されて、デジタルの映像信号及び音声信号に復調された後、信号処理部４７に出力される。
【００２５】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２６】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２７】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２８】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００２９】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３０】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３１】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３２】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３３】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３４】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３５】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３６】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３７】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３８】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３９】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４０】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４１】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４２】
次に、上記説明したデジタルテレビジョン放送受信装置１１による領域管理について説明する。図３に示すように、デジタルテレビジョン放送受信装置１１の制御部６１は、例えばＨＤＤ２５、ＨＤＤ２７、又はＡＶ−ＨＤＤ４１の記録領域を、システム領域（第１の領域）とユーザ領域（第２の領域）に分けて管理する。デジタルテレビジョン放送受信装置１１は特殊機能及び通常録画機能を備えており、特殊機能制御手段としての制御部６１はシステム領域を利用した特殊機能を制御し、また記録制御手段としての制御部６１はユーザ領域を利用した通常録画機能を制御する。
【００４３】
通常録画機能とは、例えば操作部１６又はリモートコントローラ１７による録画開始／停止の指示に基づく、現在視聴中の番組の録画である。或いは、操作部１６又はリモートコントローラ１７による録画予約情報（録画開始日時、録画終了日時、及び録画対象のチャンネルを示す情報を含む録画予約情報）に基づく、番組の録画である。
【００４４】
特殊機能とは、例えばタイムシフト再生機能及び定刻録画機能である。タイムシフト再生機能とは、例えば「ちょっとタイム機能」と呼ばれ、例えば放送中の番組を時間をシフトして（遅らせて）視聴することができる機能である。例えば、制御部６１は、操作部１６又はリモートコントローラ１７によるタイムシフトの指示に基づき、システム領域に対して現在視聴中の番組の録画を開始する。さらに、制御部６１は、操作部１６又はリモートコントローラ１７によるタイムシフト再生の指示に基づき、システム領域に記録されている番組を再生し始める。つまり、タイムシフトの指示に基づき録画が開始され、タイムシフト再生の指示に基づき録画と再生が並行して実行される。これにより、例えば番組視聴中に席を外すような場合に、ユーザがタイムシフトを指示し、席に戻ってからユーザがタイムシフト再生を指示すれば、視聴中であった番組の録画が完了するのを待たずして、視聴中であった番組を続きから視聴することが可能となる。
【００４５】
定刻録画機能とは、例えば「いつでもニュース」と呼ばれ、定刻に放送される番組を自動録画する機能である。例えば、制御部６１は、操作部１６又はリモートコントローラ１７により予め指定された毎週又は毎日の時間帯に予め指定されたチャンネルの番組をシステム領域に対して録画する。或いは、上書き録画モードが指定された制御部６１は、操作部１６又はリモートコントローラ１７により予め指定された毎週又は毎日の時間帯に予め指定されたチャンネルの番組を、システム領域に録画されている前回又は前々回の番組に対して上書き録画する。この定刻録画機能により、例えばいつでもニュースを視聴することができる。また、上書き録画モードの指定により、いつでも最新のニュースを視聴することができる。
【００４６】
図３に示すように、制御部６１が、記録領域をシステム領域とユーザ領域に分けて管理し、通常録画機能に基づく番組の記録先をユーザ領域に限定することにより、通常録画機能による録画番組により記録先の全記憶容量が使い切られてしまうのを防止できる。つまり、特殊機能が実行できなくなるという事態を回避することができる。これにより、製品としての機能（特殊機能）を保証することができる。
【００４７】
次に、システム領域とユーザ領域の容量（配分）について説明する。例えば、制御部６１は、操作部１６又はリモートコントローラ１７からの容量指定に基づき、システム領域とユーザ領域の容量（配分）を決定する。つまり、ユーザの意思で、システム領域とユーザ領域の容量（配分）を決定することができる。
【００４８】
或いは、制御部６１は、タイムシフト再生機能のタイムシフト上限時間に基づきタイムシフト再生に必要な容量を予測し、この予測された容量に基づきシステム領域の容量を決定し、残容量をユーザ領域に割り当てる。タイムシフト再生機能には、操作部１６又はリモートコントローラ１７からのタイムシフト上限時間設定に基づき、例えばタイムシフト上限時間（３０分、６０分など）を設定することができる。例えば、タイムシフト上限時間が３０分に設定されると、最大で３０分のタイムシフト再生が可能となる。３０分相当の番組の情報量は圧縮率により異なるが、例えば最も低い圧縮率を想定することにより３０分相当の番組を十分記録可能な容量を確保できる。
【００４９】
或いは、制御部６１は、タイムシフト再生機能のタイムシフト上限時間及び圧縮率に基づきタイムシフト再生に必要な容量を予測し、予測された容量に基づきシステム領域の容量を決定し、残容量をユーザ領域に割り当てる。操作部１６又はリモートコントローラ１７を介して、ユーザがタイムシフト再生用圧縮率を設定できる。このタイムシフト再生用圧縮率に基づき、タイムシフト再生用の番組は圧縮録画される。なお、対象の番組がデジタルデータの場合には、このデジタルデータの番組をデコードした後、再度エンコードすることにより、設定された圧縮率で録画することができる。
【００５０】
或いは、制御部６１は、定刻録画機能における指定された時間帯に基づき定刻録画に必要な容量を予測し、この予測された容量に基づきシステム領域の容量を決定し、残容量をユーザ領域に割り当てる。例えば、毎週又は毎日の午後１１時から午後１１時３０分が指定されると、システム領域内に３０分（又は３０分×２（回分））相当の番組の容量が確保される。３０分相当の番組の情報量は圧縮率により異なるが、例えば最も低い圧縮率を想定することにより３０分相当の番組を十分記録可能な容量を確保できる。
【００５１】
或いは、制御部６１は、定刻録画機能における指定された時間帯及び指定された圧縮率に基づき定刻録画に必要な容量を予測し、予測された容量に基づきシステム領域の容量を決定し、残容量をユーザ領域に割り当てる。操作部１６又はリモートコントローラ１７を介して、ユーザが定刻録画用圧縮率設定を設定できる。この定刻録画用圧縮率に基づき、定刻録画用の番組は圧縮録画される。なお、対象の番組がデジタルデータの場合には、このデジタルデータの番組をデコードした後、再度エンコードすることにより、設定された圧縮率で録画することができる。
【００５２】
なお、システム領域及びユーザ領域に分けて管理される記録領域は、外付けＨＤＤでも内蔵ＨＤＤでもよい。内蔵ＨＤＤであれば、取り外して領域が変更されたり、あるいは他の機器からの指示により領域が変更されたりすることはない。外付けＨＤＤでも、他の機器に接続されなければ、領域が変更されることはない。
【００５３】
また、領域管理の権限をパスワード等で管理することにより、領域管理者以外の者による勝手な領域設定の変更を防止できる。
【００５４】
また、複数のＨＤＤを利用して、その中の一つのＨＤＤをシステム領域に割り当て、別の一つをユーザ領域に割り当てることも可能である。
【００５５】
また、ＨＤＤに対して、システム領域として確保したい所定容量のファイルと、ユーザ領域として確保したい所定容量のファイルとを保存することにより、所定容量のシステム領域と所定容量のユーザ領域が確保される。
【００５６】
また、システム領域に相当するファイルのファイル名は予め決定されており、ユーザ操作により削除することはできない。
【００５７】
以上により、通常録画機能によりユーザ領域中に空き容量が無くなっても（或いは少なくなっても）、ユーザ領域とは別にシステム領域が確保されているので、上記したような特殊機能の障害となることはない。
【００５８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５９】
【図１】この発明の一例に係るデジタルテレビジョン放送受信装置（記録制御装置）の外観を示す図である。
【図２】デジタルテレビジョン放送受信装置（記録制御装置）の概略構成を示すブロック図である。
【図３】ＨＤＤ等の記録先がシステム領域とユーザ領域に分けて管理される様子を示す図である。
【符号の説明】
【００６０】
１１…デジタルテレビジョン放送受信装置（記録制御装置）、１６…操作部、１７…リモートコントローラ、２５…ＨＤＤ、６１…制御部
【図１】
2006294100.tif 000003
【図２】
2006294100.tif 000004
【図３】
2006294100.tif 000005